(57)【要約】【課題】  穀物乾燥機などの穀物調製機がその容量や機種態様もまちまちであり、また装備される機器やその配置もまちまちであっても、一種類のコードカバーをもって適合させることができる穀物調製機におけるコードカバー装置を提供する。【解決手段】  穀物乾燥機１の壁面４に沿わせて配線するコード３を穀物乾燥機の壁面４に取り付けるコードカバー装置である。２本の筒状体６，７を重合接続して伸縮調節自在のコードカバー５を構成する。コードカバー５の上端にはコード挿通孔を有する蓋体９を嵌装してある。穀物乾燥機１の壁面４にはコードカバー５を固定挟持する弾性挟持体１５を複数段にわたって設ける。【選択図】        図１
2006125750.tif 000002
【特許請求の範囲】
【請求項１】
穀物調製機の壁面に沿わせて配線するコードを穀物調製機の壁面に取り付けるコードカバー装置であって、複数の筒状体を重合接続して伸縮調節自在のコードカバーを構成し、コードカバーの少なくとも一端にはコード挿通孔を有する蓋体を嵌装してあり、穀物調製機の壁面には前記コードカバーを固定挟持する弾性挟持体を設けてあることを特徴とする穀物調製機におけるコードカバー装置。
【請求項２】
コードカバーは、２本の筒状体で構成され、その一方の円筒状体に他方の円筒状体を密接状に重合させて伸縮調節自在に構成されていることを特徴とする請求項１記載の穀物調製機におけるコードカバー装置。
【請求項３】
コードカバーは、弾性板を丸めて筒状にした複数の筒状部材からなり、これら複数の筒状部材を重合接続して伸縮調節自在に構成されていることを特徴とする請求項１記載の穀物調製機におけるコードカバー装置。
【請求項４】
複数の筒状部材は、全て同形状で同長の同一部材であることを特徴とする請求項３記載の穀物調製機におけるコードカバー装置。
【請求項５】
穀物調製機の壁面にコードカバーを固定挟持する弾性挟持体は、コードカバーを穀物調製機の壁面から一定間隔を保持する間隔保持部材を兼備した構成であることを特徴とする請求項１記載の穀物調製機におけるコードカバー装置。
【請求項６】
コードカバーの少なくとも一端に嵌装する蓋体は、互いに連なった２つ割れ開閉構造であることを特徴とする請求項１記載の穀物調製機におけるコードカバー装置。
【発明の詳細な説明】
【技術分野】
【０００１】
本発明は、穀物乾燥機など穀物調製機の壁面に沿わせて配線するコードを乾燥機の壁面に整然と取り付けるためのコードカバー装置に関するものである。
【背景技術】
【０００２】
穀物乾燥機においては、その装備機器間をつなぐコードを穀物調製機の壁面に沿って種々の態様で配線する場合が多く（実開平６−３２９９０号公報参照）、また、各種電子機器においては種々のコードやケーブルが複雑に配線されるところから、それらを整然とまとめるためのコードカバーが紹介されている（特開２００２−７８１３９公報参照）。
【０００３】
【特許文献１】実開平６−３２９９０号公報
【特許文献２】特開２００２−７８１３９公報
【発明の開示】
【発明が解決しようとする課題】
【０００４】
ところで、穀物乾燥機は、その容量や機種態様もまちまちであり、また装備される機器やその配置もまちまちであるから、装備機器間をつなぐコードやケーブルの長さもそれらに応じて種々異なっている。
【０００５】
従来、穀物乾燥機においてその壁面に沿って配線されるコードのカバーは、穀物乾燥機の容量や機種態様に応じたものが専用部品となっているので汎用性に乏しく、穀物乾燥機の製造者は多種類のコードカバーを部品として用意しなければならなかった。
【０００６】
本発明は、複数の筒状体を重合接続して伸縮調節自在のコードカバーを構成することにより、穀物乾燥機などの穀物調製機がその容量や機種態様もまちまちであり、また装備される機器やその配置もまちまちであっても、一種類のコードカバーをもって適合させることができる穀物調製機におけるコードカバー装置を提供することを目的とするものである。
【課題を解決するための手段】
【０００７】
上記目的を達成するため、本発明は請求項１ないし６に係る穀物調製機におけるコードカバー装置を提供する。すなわち、請求項１に係る穀物調製機におけるコードカバー装置は、穀物調製機の壁面に沿わせて配線する電気コードを穀物調製機の壁面に取り付けるコードカバー装置であって、複数の筒状体を重合接続して伸縮調節自在のコードカバーを構成し、コードカバーの少なくとも一端にはコード挿通孔を有する蓋体を嵌装してあり、穀物調製機の壁面には前記コードカバーを固定挟持する弾性挟持体を設けてあることを特徴とするものである。
【０００８】
請求項２に係る穀物調製機におけるコードカバー装置は、請求項１の構成において、コードカバーは、２本の筒状体で構成され、その一方の円筒状体に他方の円筒状体を密接状に重合させて伸縮調節自在に構成されていることを特徴とするものである。
【０００９】
請求項３に係る穀物調製機におけるコードカバー装置は、請求項１の構成において、コードカバーは、弾性板を丸めて筒状にした複数の筒状部材からなり、これら複数の筒状部材を重合接続して伸縮調節自在に構成されていることを特徴とするものである。
【００１０】
請求項４に係る穀物調製機におけるコードカバー装置は、請求項３の構成において、複数の筒状部材は、全て同形状で同長の同一部材であることを特徴とするものである。
【００１１】
請求項５に係る穀物調製機におけるコードカバー装置は、請求項１の構成において、穀物調製機の壁面にコードカバーを固定挟持する弾性挟持体は、コードカバーを穀物調製機の壁面から一定間隔を保持する間隔保持部材を兼備した構成であることを特徴とするものである。
【００１２】
請求項６に係る穀物調製機におけるコードカバー装置は、請求項１の構成において、コードカバーの少なくとも一端に嵌装する蓋体は、互いに連なった２つ割れ開閉構造であることを特徴とするものである。
【発明の効果】
【００１３】
本発明に係る穀物調製機におけるコードカバー装置によれば、複数の筒状体を重合接続して伸縮調節自在のコードカバーを構成することにより、穀物調製機がその容量や機種態様もまちまちであり、また装備される機器やその配置もまちまちであっても、一種類のコードカバーをもって適合させることができる効果が得られる。
【発明を実施するための最良の形態】
【００１４】
図面には穀物調製機として穀物乾燥機についての実施の形態を例示する。図１および図２において、１は穀物乾燥機であり、その背面下部にはコネクタボックス２が備えられている。図示の実施の形態では、コネクタボックス２につなぐコード３を穀物乾燥機１の壁面４に沿って上端に向かって配線しており、そのコード３はコードカバー５により覆われ、かつ穀物乾燥機１の壁面４に取り付けられている。
【００１５】
コードカバー５は、図３に詳細を示すように、２本の円筒状体６，７を密接状に重合接続して伸縮調節自在に構成したものであって、コードカバー５の一端、すなわち筒状体６の上端には、コード挿通孔８を有する蓋体９が嵌装されている。筒状体７には、それに重合接続した筒状体６の重合位置を示す複数のマーク１０が付けられている。
【００１６】
コードカバー５を構成する一方の筒状体６の上端に嵌装した蓋体９は、図３に示すように、互いに連なった２つ割れ開閉構造であり、１１はその連なり部、１２は開き部である。コード挿通孔８は、蓋体９を閉じた状態でコード３を緊締状態に挟持するものである。コード挿通孔８にはパッキンを介装してもよい（図示せず）。蓋体９は筒状体６に対するキャップ部１３と嵌挿部１４からなっている。
【００１７】
穀物乾燥機１の壁面４には、図２および図４に示すように、コードカバー５を固定挟持する弾性挟持体１５が上下複数段にわたって設けられており、この弾性挟持体１５はその基端が壁面４に固着されていて、コードカバー５の挟持部１６の開放側が一対の挿入案内部１７，１７となっている。穀物乾燥機１の壁面４に設けられた弾性挟持体１５はそれに固定挟持されたコードカバー５を壁面４から一定間隔を保持する間隔保持部材を兼備した構成である。
【００１８】
本発明に係るコードカバー５は、図５に示すように、弾性板を丸めて筒状にした２本の筒状部材１８，１９により構成することができる、すなわち、これら２本の筒状部材１８，１９を重合接続して伸縮調節自在のコードカバー５を構成するが、この実施の形態によれば、２本の筒状部材１８，１９を同一のものとすることができる。すなわち、２本の筒状部材１８，１９のうち一方の筒状部材１８は他方の筒状部材１９に対して径を拡縮自在であるから、両者を同一部材で構成しても密接状に重合接続して伸縮調節自在のコードカバー５を構成することができる。そして、２本の筒状部材１８，１９は同形状で同長の同一部材であってもよい。
【００１９】
本発明に係るコードカバー５を用いて穀物乾燥機１の壁面４に沿わせてコード３を配線するにあたっては、コードカバー５をコネクタボックス２の上面から所要の高さまでの長さに調節し、次いでコードカバー５の上端から挿通したコード３がコードカバー５の下端から所要の長さ引き出されるコード３の部位を開いた蓋体９のコード挿通孔８に当てて蓋体９を閉じてコードカバー５の上端開口に嵌装する。このようにコードカバー５に挿通したコード３は蓋体９により固定されるので、コードカバー５を穀物乾燥機１の壁面４に沿わせて弾性挟持体１５に挿入するだけで、穀物乾燥機１の壁面４に沿わせてコード３を配線することができ、その配線したコード３はコードカバー５によって覆われて保護される。なお、コードカバー５の長さ調節には複数のマーク１０を指標とすれば的確かつ容易にその作業をすることができる。図３および図５において、Ｍはコードカバー５の最長の態様を、Ｌは最短の状態を示している。
【産業上の利用可能性】
【００２０】
本発明に係る穀物調製機におけるコードカバー装置は、図示した穀物乾燥機のほか、脱穀機、籾摺機、穀物選別機など種々の穀物調製機にそのまま実施することができるものである。
【図面の簡単な説明】
【００２１】
【図１】本発明の一実施の形態に係る穀物乾燥機の斜視図である。
【図２】図１の一部詳細斜視図である。
【図３】本発明の一実施の形態に係るコードカバーであって、最長状態、最短状態および蓋体の詳細を示す斜視図である。
【図４】コードカバーを弾性挟持体に固定挟持された状態および固定挟持される過程を示す断面図である。
【図５】本発明の他の実施の形態に係るコードカバーであって、最長状態、最短状態およびＰ部を拡大して示す斜視図である。
【符号の説明】
【００２２】
１  穀物乾燥機
２  コネクタボックス
３  コード
４  壁面
５  コードカバー
６，７  ２本の円筒状体
８  コード挿通孔
９  蓋体
１０  マーク
１１  連なり部
１２  開き部
１３  キャップ部
１４  嵌挿部
１５  弾性挟持体
１６  挟持部
１７，１７  一対の挿入案内部
１８，１９  ２本の筒状部材
【図１】
2006125750.tif 000003
【図２】
2006125750.tif 000004
【図３】
2006125750.tif 000005
【図４】
2006125750.tif 000006
【図５】
2006125750.tif 000007